(57)【要約】【課題】寝ている体毛の外刃に対する導入性能の向上を図ることのできる電気かみそりを得る。【解決手段】電気かみそり１は、桟３３によって画成された刃穴３１を有する外刃８と、当該外刃８の内方に配設されて外刃８に対して相対移動することで、刃穴３１に挿入された体毛３９を切断する内刃１３と、を備えている。そして、桟３３の刃穴周縁部を肌３７側に屈曲させることで、当該桟３３に起毛部３５を設けた。【選択図】図６
2011200494.tif 000002
【特許請求の範囲】
【請求項１】
桟によって画成された刃穴を有する外刃と、当該外刃の内方に配設されて前記外刃に対して相対移動することで、前記刃穴に挿入された体毛を切断する内刃と、を備える電気かみそりであって、
前記桟の刃穴周縁部を肌側に屈曲させることで、当該桟に起毛部を設けたことを特徴とする電気かみそり。
【請求項２】
前記桟の断面形状が、当該桟の肌側に位置するエッジの角度が鋭角となる逆テーパ状をしていることを特徴とする請求項１に記載の電気かみそり。
【請求項３】
前記桟の肌側に位置するエッジに、丸みを付けたことを特徴とする請求項１または請求項２に記載の電気かみそり。
【請求項４】
前記桟の肌側に位置するエッジに粒子や電子ビームを照射することで、当該エッジに丸みを付けたことを特徴とする請求項３に記載の電気かみそり。
【請求項５】
前記桟の肌側に位置するエッジを化学溶剤により溶解させることで、当該エッジに丸みを付けたことを特徴とする請求項３に記載の電気かみそり。
【請求項６】
前記起毛部が設けられた桟と前記内刃の肌側表面との間に隙間を設けたことを特徴とする請求項１〜５のうちいずれか１項に記載の電気かみそり。
【請求項７】
前記起毛部が設けられた桟を前記内刃の肌側表面に対して傾斜させたことを特徴とする請求項１〜６のうちいずれか１項に記載の電気かみそり。
【請求項８】
前記起毛部は、前記刃穴周縁部に部分的に設けられていることを特徴とする請求項１〜７のうちいずれか１項に記載の電気かみそり。
【発明の詳細な説明】
【技術分野】
【０００１】
本発明は、電気かみそりに関する。
【背景技術】
【０００２】
従来から、体毛を剃る種々の電気かみそりが開発されている。ここで、体毛の延びている方向と肌面とのなす角度は起毛角と呼ばれているが、起毛角が大きい（例えば、４５°〜６０°）体毛は剃りやすいが、起毛角が小さい（例えば、３０°以下）体毛、すなわち、寝ている体毛は剃りにくいという問題がある。そこで、寝ている体毛を起こす起毛力が従来よりも大きい起毛部を外刃の桟に設けた電気かみそりが開発されている（例えば、特許文献１参照）。
【先行技術文献】
【特許文献】
【０００３】
【特許文献１】特開昭５９−６０９２号公報
【発明の概要】
【発明が解決しようとする課題】
【０００４】
しかしながら、上記従来技術では、桟の内刃側に起毛部が設けられているため、体毛が肌面と起毛部との間に入り込んでしまうおそれがあった。すなわち、上記従来の技術では、寝ている体毛の外刃に対する導入性能があまりよくなかった。
【０００５】
そこで、本発明は、寝ている体毛の外刃に対する導入性能の向上を図ることのできる電気かみそりを得ることを目的とする。
【課題を解決するための手段】
【０００６】
本発明にあっては、桟によって画成された刃穴を有する外刃と、当該外刃の内方に配設されて前記外刃に対して相対移動することで、前記刃穴に挿入された体毛を切断する内刃と、を備える電気かみそりであって、前記桟の刃穴周縁部を肌側に屈曲させることで、当該桟に起毛部を設けたことを特徴とする。
【発明の効果】
【０００７】
本発明によれば、桟の刃穴周縁部を肌側に屈曲させることで、当該桟に起毛部を設けたため、体毛が肌面と起毛部との間に入り込んでしまうのを抑制することができ、寝ている体毛の外刃に対する導入性能の向上を図ることができる。
【図面の簡単な説明】
【０００８】
【図１】図１は、本発明の第１実施形態にかかる電気かみそりを示す正面図である。
【図２】図２は、本発明の第１実施形態にかかる外刃カセットを模式的に示す斜視図である。
【図３】図３は、本発明の第１実施形態にかかる内刃を示す斜視図である。
【図４】図４は、本発明の第１実施形態にかかる電気かみそりの外刃を模式的に示す要部拡大図である。
【図５】図５は、本発明の第１実施形態にかかる電気かみそりの使用状態を模式的に示す要部断面図である。
【図６】図６は、本発明の第１実施形態にかかる電気かみそりの桟の加工工程を示す図であって、（ａ）は外刃の拡大模式図、（ｂ）は桟の加工前における図６（ａ）のＡ−Ａ線断面図、（ｃ）は桟の加工後における図６（ａ）のＡ−Ａ線断面図である。
【図７】図７は、本発明の第２実施形態にかかる電気かみそりの使用状態を模式的に示す要部断面図である。
【図８】図８は、本発明の第２実施形態にかかる電気かみそりの桟の加工工程を示す図であって、（ａ）は外刃の拡大模式図、（ｂ）は桟の加工前における図８（ａ）のＢ−Ｂ線断面図、（ｃ）は桟の加工後における図８（ａ）のＢ−Ｂ線断面図である。
【図９】図９は、本発明の第３実施形態にかかる電気かみそりの使用状態を模式的に示す要部断面図である。
【図１０】本発明の第３実施形態にかかる電気かみそりの桟の加工工程を示す図であって、（ａ）は外刃の拡大模式図、（ｂ）は桟の加工前における図１０（ａ）のＣ−Ｃ線断面図、（ｃ）は桟の加工後における図１０（ａ）のＣ−Ｃ線断面図である。
【図１１】図１１は、本発明の第４実施形態にかかる電気かみそりの使用状態を模式的に示す要部断面図である。
【図１２】図１２は、本発明の第４実施形態にかかる電気かみそりの桟の加工工程を示す図であって、（ａ）は外刃の拡大模式図、（ｂ）は桟の加工前における図１２（ａ）のＤ−Ｄ線断面図、（ｃ）は桟の加工途中における図１２（ａ）のＤ−Ｄ線断面図、（ｄ）は桟の加工後における図１２（ａ）のＤ−Ｄ線断面図である。
【図１３】図１３は、本発明の第５実施形態にかかる電気かみそりの使用状態を模式的に示す要部断面図である。
【図１４】図１４は、本発明の第５実施形態にかかる電気かみそりの桟の加工工程を示す図であって、（ａ）は外刃の拡大模式図、（ｂ）は桟の加工前における図１４（ａ）のＥ−Ｅ線断面図、（ｃ）は桟の加工後における図１４（ａ）のＥ−Ｅ線断面図である。
【図１５】図１５は、本発明の第６実施形態にかかる電気かみそりの使用状態を模式的に示す要部断面図である。
【図１６】図１６は、本発明の第６実施形態にかかる電気かみそりの桟の加工工程を示す図であって、（ａ）は外刃の拡大模式図、（ｂ）は桟の加工前における図１６（ａ）のＦ−Ｆ線断面図、（ｃ）は桟の加工後における図１６（ａ）のＦ−Ｆ線断面図である。
【図１７】図１７は、本発明の第７実施形態にかかる電気かみそりの使用状態を模式的に示す要部断面図である。
【図１８】図１８は、本発明の第７実施形態にかかる電気かみそりの桟の加工工程を示す図であって、（ａ）は外刃の拡大模式図、（ｂ）は桟の加工前における図１８（ａ）のＧ−Ｇ線断面図、（ｃ）は桟の加工後における図１８（ａ）のＧ−Ｇ線断面図である。
【図１９】図１９は、本発明の第８実施形態にかかる電気かみそりの使用状態を示す図であって、（ａ）は毛起こし状態を模式的に示す要部断面図、（ｂ）は体毛の切断状態を模式的に示す要部断面図である。
【図２０】図２０は、本発明の第８実施形態にかかる電気かみそりの桟の加工工程を示す図であって、（ａ）は外刃の拡大模式図、（ｂ）は桟の加工前における図２０（ａ）のＨ−Ｈ線断面図、（ｃ）は桟の加工後における図２０（ａ）のＨ−Ｈ線断面図である。
【図２１】図２１は、本発明の第８実施形態の変形例にかかる電気かみそりの桟の加工工程を示す図であって、（ａ）は外刃の拡大模式図、（ｂ）は桟の加工前における図２１（ａ）のＩ−Ｉ線断面図、（ｃ）は桟の加工後における図２１（ａ）のＩ−Ｉ線断面図である。
【図２２】図２２は、本発明の第９実施形態にかかる電気かみそりの使用状態を模式的に示す要部断面図である。
【図２３】図２３は、本発明の第９実施形態にかかる電気かみそりの桟の加工工程を示す図であって、（ａ）は外刃の拡大模式図、（ｂ）は桟の加工前における図２３（ａ）のＪ−Ｊ線断面図、（ｃ）は桟の加工後における図２３（ａ）のＪ−Ｊ線断面図である。
【図２４】図２４は、本発明の第１０実施形態にかかる電気かみそりの起毛部を示す図であって、（ａ）はエッジの曲げ量が小さい場合の要部拡大断面図、（ｂ）はエッジの曲げ量が大きい場合の要部拡大断面図である。
【図２５】図２５は、本発明の第１１実施形態にかかる電気かみそりの使用状態を模式的に示す要部断面図である。
【図２６】図２６は、本発明の第１１実施形態にかかる電気かみそりの桟の加工工程を示す図であって、（ａ）は外刃の拡大模式図、（ｂ）は桟の加工前における図２６（ａ）のＫ−Ｋ線断面図、（ｃ）は桟の加工後における図２６（ａ）のＫ−Ｋ線断面図である。
【図２７】図２７は、本発明の第１１実施形態の第１変形例にかかる電気かみそりの桟の加工工程を示す図であって、（ａ）は外刃の拡大模式図、（ｂ）は桟の加工前における図２７（ａ）のＬ−Ｌ線断面図、（ｃ）は桟の加工後における図２７（ａ）のＬ−Ｌ線断面図である。
【図２８】図２８は、本発明の第１１実施形態の第２変形例にかかる電気かみそりの桟の加工工程を示す図であって、（ａ）は外刃の拡大模式図、（ｂ）は桟の加工前における図２８（ａ）のＭ−Ｍ線断面図、（ｃ）は桟の加工後における図２８（ａ）のＭ−Ｍ線断面図である。
【図２９】図２９は、本発明の第１２実施形態にかかる電気かみそりの使用状態を模式的に示す要部断面図である。
【図３０】図３０は、本発明の第１２実施形態との比較例を示す図であって、桟と内刃が接触する電気かみそりの使用状態を模式的に示す要部断面図である。
【図３１】図３１は、本発明の第１３実施形態にかかる電気かみそりの使用状態を模式的に示す要部断面図である。
【図３２】図３２は、本発明の第１４実施形態にかかる電気かみそりの外刃を模式的に示す要部拡大図である。
【図３３】図３３は、本発明の第１５実施形態にかかる電気かみそりの外刃を示す図であって、（ａ）は刃穴が六角状である場合の要部拡大図、（ｂ）は刃穴がスリット状である場合の要部拡大図である。
【発明を実施するための形態】
【０００９】
以下、本発明の実施形態について図面を参照しながら詳細に説明する。なお、以下の複数の実施形態には、同様の構成要素が含まれている。よって、以下では、それら同様の構成要素には共通の符号を付与するとともに、重複する説明を省略する。また、以下では、複数の外刃が並設される方向を前後方向（剃り方向）Ｘ、各外刃が延在する方向を左右方向Ｙとして説明する。また、外刃が上方を向くようにヘッド部を配置した状態における上下方向を上下方向Ｚとして説明する。
【００１０】
（第１実施形態）
本実施形態にかかる電気かみそり１は、図１に示すように、手で把持するグリップ部２と、グリップ部２に固定されたヘッド部５と、を備えている。
【００１１】
グリップ部２は、図示せぬ電池が内蔵される合成樹脂製のグリップ本体３と、このグリップ本体３の上面より後方に突設された合成樹脂製のグリップ接続部４と、を備えている。なお、グリップ接続部４の上面に、公知の左右揺動機構および公知の前後揺動機構のうちの少なくともいずれかの機構を設け、ヘッド部５をグリップ部２に左右方向や前後方向に揺動できるように取り付けてもよい。
【００１２】
ヘッド部５は、図示せぬリニアモータが内蔵され、グリップ接続部４に接続されるリニアヘッド部６と、当該リニアヘッド部６に取り付けられる刃ユニット７と、を備えている。そして、グリップ本体３には、図１に示すように、リニアモータの駆動をオン、オフさせるスイッチ部９０が形成されている。なお、グリップ本体３に、電池の充電状況等を表示する表示部を設けるようにしてもよい。
【００１３】
刃ユニット７は、ヘッド部５の上方に向けて露出する外刃８と、当該外刃８の内方（外刃８の下側）に配設されて外刃８に対して相対移動する内刃１３と、を備えている。
【００１４】
本実施形態では、４枚（複数）の外刃を備えており、第１のネット刃９、仕上げ用ネット刃１０、スリット刃１１、第２のネット刃１２が前後方向Ｘに並設されている。
【００１５】
ネット刃９，１０，１２はいずれも、図４に示すように、側面視（左右方向Ｙに外刃を視た状態）で上方が凸となるように前後方向（短手方向）Ｘに沿って逆Ｕ字状に湾曲して形成されている。さらに、ネット刃９，１０，１２は、正面視（前後方向Ｘに外刃を視た状態）で上方が凸となるように左右方向（長手方向）Ｙに沿って若干湾曲して形成されている。なお、本実施形態では、ネット刃９，１０，１２を、正面視で上方が凸となるように湾曲させているが、必ずしも湾曲させる必要はない。
【００１６】
そして、このネット刃９，１０，１２には、多数の楕円状の刃穴３１が桟３３によって画成されている（図４参照）。さらに、本実施形態では、図２に示すように、仕上げ用ネット刃１０の刃幅（前後方向Ｘの幅）が、第１及び第２のネット刃９，１２の刃幅（前後方向Ｘの幅）よりも小さくなるようにしている。このように、仕上げ用ネット刃１０の刃幅を他のネット刃９，１２の刃幅に比して小さく、すなわち、仕上げ用ネット刃１０の曲率半径を小さく設けることで、表面に押し付けた肌３７を刃穴３１から大きく内側に突出させて体毛３９（図５参照）を短く剃ることができるようにしている。
【００１７】
スリット刃１１は、前後方向（短手方向）Ｘに沿ってコ字状に湾曲形成されており、平坦な上壁から側壁に至る多数のスリット（刃穴）を穿設することで形成されている。
【００１８】
すなわち、スリット刃１１には、多数のスリット（刃穴）が、平坦な上壁から側壁に至る略コ字状の桟および側壁の下部で長手方向（左右方向）Ｙに沿って延在する桟によって画成されている。
【００１９】
そして、外刃８を成す各ネット刃９，１０，１２およびスリット刃１１は、それぞれ専用の外刃枠１９，２０，２２および２１に取り付けられている。
【００２０】
さらに、外刃枠２０の第１のネット刃９側には、肌ガード部材２０ａが形成されており、仕上げ用ネット刃１０を前後に挟むスリット刃１１と肌ガード部材２０ａとによって、曲率半径の小さな仕上げ用ネット刃１０に肌３７が強く押し付けられることを効果的に防止している。
【００２１】
そして、第１のネット刃９が取り付けられた外刃枠１９、仕上げ用ネット刃１０が取り付けられた外刃枠２０、スリット刃１１が取り付けられた外刃枠２１および第２のネット刃１２が取り付けられた外刃枠２２を、外刃フレーム１８にそれぞれ係合させることで、外刃カセット３０を形成している。この外刃カセット３０は、リニアヘッド部６に取り付けられている。
【００２２】
内刃１３は、外刃８を成す各ネット刃９，１０，１２およびスリット刃１１に対して専用のものが設置されている。具体的には、各ネット刃９，１０，１２の下方（内方）に、対応するネット刃９，１０，１２の湾曲に沿う逆Ｕ字状の内刃１４，１５，１７が配設されている（図３参照）。なお、スリット刃１１の下方（内方）には、このスリット刃１１の湾曲に沿うコ字状のスリット内刃（図示せず）が配設されている。
【００２３】
そして、これら内刃１４，１５，１７およびスリット内刃（図示せず）は、上述の図示せぬリニアモータに取り付けられており、リニアモータを駆動させると、内刃１４，１５，１７およびスリット内刃（図示せず）がそれぞれ左右方向（長手方向）Ｙに往復動するようになっている。
【００２４】
このように、各ネット刃９，１０，１２およびスリット刃１１の下方（内方）に配設された内刃１４，１５，１７およびスリット内刃（図示せず）を、各ネット刃９，１０，１２およびスリット刃１１に対してそれぞれ相対移動（左右方向Ｙへの往復動）させることで、各ネット刃９，１０，１２の刃穴３１およびスリット刃１１のスリット内に挿入された体毛３９を、各ネット刃９，１０，１２およびスリット刃１１と、内刃１４，１５，１７およびスリット内刃（図示せず）と、で協働して切断するように構成している。
【００２５】
ここで、本実施形態では、桟３３に、肌面３７ａとのなす角度が小さい体毛（寝ている体毛）３９をより効率的に起こす起毛作用を有する起毛部３５を設けている。
【００２６】
本実施形態では、桟３３の刃穴３１周縁部を全周に亘って肌３７側に屈曲させることで、当該桟３３に起毛部３５を設けている（図４参照）。なお、図４では、桟３３の起毛部３５が設けられている部位を太線で示している。この図４では、複数の刃穴３１のうちの１つの刃穴３１周縁部だけに起毛部３５を設けたものを示しているが、これに限らず、複数の刃穴３１周縁部に起毛部３５を設けるようにしてもよい。
【００２７】
このとき、外刃８の肌３７との接触圧に応じて起毛部３５を設ける領域と起毛部３５を設けない領域とを設定するのが好適である。具体的には、外刃８の肌３７との接触圧の低い部位に起毛部３５を設け、外刃８の肌３７との接触圧の高い部位には、起毛部３５を設けないようにすることで、肌３７との接触圧が高い部位が肌３７に与える影響（ダメージ）を抑制できるようにするのが好適である。
【００２８】
以下、起毛部３５の製造方法を、図６に基づき説明する。
【００２９】
まず、図６（ａ）に示すように、多数の楕円状の刃穴３１が桟３３によって画成された外刃８を形成する。このように、外刃８に刃穴３１を形成した段階では、外刃８の刃穴３１を区画する桟３３は、図６（ｂ）に示すように、極薄の平坦な板状をしている。
【００３０】
そして、板状の桟３３の両端部（桟３３の刃穴３１周縁部）３３Ｓに、それぞれ内刃１３側から荷重Ｆ１を作用させて回転力Ｍ１が生じるようにし、図６（ｃ）に示すように、両端部（桟３３の刃穴３１周縁部）３３Ｓを、中央部３３Ｃに対して角度θで傾斜するように屈曲させる。
【００３１】
こうして、桟３３に、肌面３７ａとのなす角度が小さい体毛（寝ている体毛）３９をより効率的に起こす起毛作用を有する起毛部３５を形成している。このとき、角度θを鋭角に設定するのが好適である。こうすれば、桟３３の断面形状を、肌３７側にエッジ３３Ｅが形成された形状とすることができる。
【００３２】
このように、桟３３の両端部（桟３３の刃穴３１周縁部）３３Ｓに肌３７側に位置するエッジ３３Ｅを形成することで、図５に示すように、外刃８が肌３７に対して矢印ａ方向に移動した際に、逆テーパ状の端部３３Ｓの先端（桟３３のエッジ３３Ｅ）が、寝ている体毛３９と肌面３７ａとの間に入り込みやすくなる。すなわち、本実施形態では、桟３３のエッジ３３Ｅが、肌面３７ａとのなす角度が小さい体毛（寝ている体毛）３９をより効率的に起こす起毛作用を有する起毛部３５となっている。
【００３３】
以上説明したように、本実施形態では、桟３３の両端部（桟３３の刃穴３１周縁部）３３Ｓを、中央部３３Ｃに対して角度θで傾斜するように肌３７側に屈曲させることで、当該桟３３に起毛部３５を設けている。このように、両端部（桟３３の刃穴３１周縁部）３３Ｓを肌３７側に屈曲させることで、起毛部３５をより肌３７側に近づけることができる。その結果、体毛３９が肌面３７ａと起毛部３５との間に入り込んでしまうのを抑制することができ、寝ている体毛３９の外刃８に対する導入性能の向上を図ることができる。
【００３４】
また、本実施形態では、桟３３の断面形状を、肌３７側にエッジ３３Ｅが形成された逆テーパ状としている。その結果、起毛部３５としてのエッジ３３Ｅが、寝ている体毛３９と肌面３７ａとの間に入り込みやすくなるため、エッジ３３Ｅによって肌面３７ａとのなす角度が小さい体毛（寝ている体毛）３９をより効率的に起こすことができる。
【００３５】
また、本実施形態では、板状の桟３３の両端部（桟３３の刃穴３１周縁部）３３Ｓを肌３７側に屈曲させているため、肌３７との接触面が平坦にならず、肌３７が接触面上を滑ってしまうのを抑制することができる。その結果、起毛部３５としてのエッジ３３Ｅを肌３７により密着させることが可能となり、寝ている体毛３９をより一層効率的に起こすことができるようになる。
【００３６】
このように、効率良く毛起こしできる起毛部３５を設けることで、体毛３９の剃り効率を高めることができる。
【００３７】
そして、本実施形態では、桟３３の刃穴３１周縁部（桟３３の端部３３Ｓ）を単に傾斜させるという簡単な作業で、効率良く毛起こしできる起毛部３５を設けているため、低コストで高品質の電気かみそり１を提供することができる。
【００３８】
また、本実施形態では、桟３３の刃穴３１周縁部（桟３３の端部３３Ｓ）を全周に亘って肌３７側に屈曲させることで、当該桟３３に起毛部３５としてのエッジ３３Ｅを設けている。そのため、電気かみそり１を肌面３７ａに沿ってあらゆる方向に動かした場合にも、体毛３９をより効率的に起こすことができ、体毛３９の剃り効率をさらに高めることができる。
【００３９】
（第２実施形態）
本実施形態にかかる外刃８の桟３３の断面形状は、図７に示すように、両端部（桟３３の刃穴３１周縁部）３３Ｓが先細りとなる略逆台形状をしている。すなわち、桟３３の肌３７側には、肌面３７ａとのなす角度が小さい体毛（寝ている体毛）３９をより効率的に起こす起毛作用を有する起毛部３５としてのエッジ３３Ｅが設けられている。
【００４０】
そして、本実施形態においても、桟３３の刃穴３１周縁部（桟３３の端部３３Ｓ）を全周に亘って肌３７側に屈曲させることで、当該桟３３に起毛部３５を設けている。
【００４１】
以下、起毛部３５の製造方法を、図８に基づき説明する。
【００４２】
まず、図８（ａ）に示すように、多数の楕円状の刃穴３１が桟３３によって画成された外刃８を形成する。このように、外刃８に刃穴３１を形成した段階では、外刃８の刃穴３１を区画する桟３３は、図８（ｂ）に示すように、桟３３の刃穴３１周縁部に内刃１３側（肌３７とは反対側）が鋭角のエッジ３３Ｅが形成された略台形状をしている。
【００４３】
そして、エッジ３３Ｅが形成された両端部（桟３３の刃穴３１周縁部）３３Ｓに、それぞれ内刃１３側から荷重Ｆ１を作用させ、図８（ｃ）に示すように、両端部（桟３３の刃穴３１周縁部）３３Ｓを、中央部３３Ｃに対して角度θで傾斜するように屈曲させる。こうして、桟３３の断面形状を、肌３７側に鋭角のエッジ３３Ｅが形成された逆テーパ状とする。
【００４４】
なお、本実施形態においても、桟３３のエッジ３３Ｅが、肌面３７ａとのなす角度が小さい体毛（寝ている体毛）３９をより効率的に起こす起毛作用を有する起毛部３５となっている。
【００４５】
以上の本実施形態によっても、上記第１実施形態と同様の作用、効果を奏することができる。
【００４６】
また、本実施形態によれば、桟３３の加工前の両端部（桟３３の刃穴３１周縁部）３３Ｓが先細りとなっているため、両端部（桟３３の刃穴３１周縁部）３３Ｓを低荷重で屈曲させることができるという利点もある。
【００４７】
（第３実施形態）
本実施形態にかかる外刃８の桟３３の断面形状は、図９に示すように、両端部（桟３３の刃穴３１周縁部）３３Ｓが先細りとなるとともに、中央部３３Ｃの肌３７側が、内刃１３側に凹となる略三日月状をしている。
【００４８】
すなわち、桟３３には、肌面３７ａとのなす角度が小さい体毛（寝ている体毛）３９をより効率的に起こす起毛作用を有する起毛部３５としてのエッジ３３Ｅが設けられている。
【００４９】
そして、本実施形態においても、桟３３の刃穴３１周縁部（桟３３の端部３３Ｓ）を全周に亘って肌３７側に屈曲させることで、当該桟３３に起毛部３５を設けている。
【００５０】
以下、起毛部３５の製造方法を、図１０に基づき説明する。
【００５１】
まず、図１０（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図１０（ｂ）に示すように、中央部３３Ｃの上面（肌３７側の面）が肌３７側に凸となるように湾曲するとともに、両端部（桟３３の刃穴３１周縁部）３３Ｓが内刃１３側（肌３７とは反対側）に向けて突出した略逆Ｕ字状をしている。すなわち、外刃８に刃穴３１を形成した段階においては、桟３３は、中央部３３Ｃとその両端から内刃１３側に突出する突出部３３Ｋとで略逆Ｕ字状に形成されている。
【００５２】
そして、突出部３３Ｋに、それぞれ内刃１３側から荷重Ｆ１を作用させ、図１０（ｃ）に示すように、中央部３３Ｃに対して角度θで傾斜するように屈曲させる。さらに、両端部３３Ｓに、両端部３３Ｓ同士が近づくように回転力Ｍ１を作用させることで、桟３３を、両端部３３Ｓが先細りとなるとともに、中央部３３Ｃの肌３７側が内刃１３側に凹となる断面略三日月状に形成する。
【００５３】
以上の本実施形態によっても、上記第１実施形態と同様の作用、効果を奏することができる。
【００５４】
また、本実施形態によれば、エッジ３３Ｅを中央部３３Ｃよりも肌３７側に突出させているため、エッジ３３Ｅを肌３７により食い込ませることができ、体毛３９の剃り効率をさらに高めることができる。
【００５５】
（第４実施形態）
本実施形態にかかる外刃８の桟３３の断面形状は、図１１に示すように、両端部（桟３３の刃穴３１周縁部）３３Ｓが先細りとなる逆テーパ状をしている。すなわち、桟３３には、肌面３７ａとのなす角度が小さい体毛（寝ている体毛）３９をより効率的に起こす起毛作用を有する起毛部３５としてのエッジ３３Ｅが設けられている。さらに、本実施形態では、エッジ３３Ｅに丸み３３Ｒを付けている。
【００５６】
そして、本実施形態においても、桟３３の刃穴３１周縁部（桟３３の端部３３Ｓ）を全周に亘って肌３７側に屈曲させることで、当該桟３３に起毛部３５を設けている。
【００５７】
以下、起毛部３５の製造方法を、図１２に基づき説明する。
【００５８】
まず、図１２（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図１２（ｂ）に示すように、中央部３３Ｃの上面が肌３７側に凸となるように湾曲するとともに、両端部（桟３３の刃穴３１周縁部）３３Ｓが内刃１３側（肌３７とは反対側）に向けて突出した略逆Ｕ字状をしている。すなわち、外刃８に刃穴３１を形成した段階においては、桟３３は、中央部３３Ｃとその両端から内刃１３側に突出する突出部３３Ｋとで略逆Ｕ字状に形成されている。
【００５９】
そして、突出部３３Ｋに、それぞれ内刃１３側から荷重Ｆ１を作用させ、図１２（ｃ）に示すように、桟３３を、両端部（桟３３の刃穴３１周縁部）３３Ｓが先細りとなるとともに、中央部３３Ｃの肌３７側が、内刃１３側に凹となる断面略三日月状に形成する。さらに、断面略三日月状の桟３３のエッジ３３Ｅに両側から荷重Ｆ２を作用させることで、図１２（ｄ）に示すように、桟３３を、エッジ３３Ｅに丸み３３Ｒを付けた断面逆テーパ状に形成する。
【００６０】
以上の本実施形態によっても、上記第１実施形態と同様の作用、効果を奏することができる。
【００６１】
また、本実施形態によれば、桟３３のエッジ３３Ｅに丸み３３Ｒを付けたため、肌３７への刺激を小さくすることができる。
【００６２】
（第５実施形態）
本実施形態にかかる外刃８の桟３３の断面形状は、図１３に示すように、桟３３の片側の端部（桟３３の刃穴３１周縁部）３３Ｓのみを先細りとした形状をしている。すなわち、桟３３の片側の端部（桟３３の刃穴３１周縁部）３３Ｓには、肌面３７ａとのなす角度が小さい体毛（寝ている体毛）３９をより効率的に起こす起毛作用を有する起毛部３５としてのエッジ３３Ｅが設けられている。
【００６３】
そして、本実施形態においても、桟３３の刃穴３１周縁部（桟３３の端部３３Ｓ）を全周に亘って肌３７側に屈曲させることで、当該桟３３に起毛部３５を設けている。
【００６４】
以下、起毛部３５の製造方法を、図１４に基づき説明する。
【００６５】
まず、図１４（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図１４（ｂ）に示すように、中央部３３Ｃの上面が肌３７側に凸となるように湾曲するとともに、両端部（桟３３の刃穴３１周縁部）３３Ｓが内刃１３側（肌３７とは反対側）に向けて突出した略逆Ｕ字状をしている。すなわち、外刃８に刃穴３１を形成した段階においては、桟３３は、中央部３３Ｃとその両端から内刃１３側に突出する突出部３３Ｋとで略逆Ｕ字状に形成されている。
【００６６】
そして、片側の突出部３３Ｋに、内刃１３側から荷重Ｆ１を作用させ、図１４（ｃ）に示すように、桟３３を、片側の端部（桟３３の刃穴３１周縁部）３３Ｓのみが肌３７に向かうにつれて先細りとなる断面形状に形成している。
【００６７】
以上の本実施形態によっても、上記第１実施形態と同様の作用、効果を奏することができる。
【００６８】
また、本実施形態のように、起毛部３５を桟３３の片側の端部（桟３３の刃穴３１周縁部）３３Ｓのみに設けるようにすれば、加工が安価になるという利点がある。
【００６９】
（第６実施形態）
本実施形態にかかる外刃８の桟３３の断面形状は、図１５に示すように、両端部（桟３３の刃穴３１周縁部）３３Ｓが肌３７側に位置するとともに、先細りとなる形状をしている。すなわち、桟３３には、肌面３７ａとのなす角度が小さい体毛（寝ている体毛）３９をより効率的に起こす起毛作用を有する起毛部３５としてのエッジ３３Ｅが設けられている。このエッジ３３Ｅは、中央部３３Ｃよりも肌３７側に突出している。
【００７０】
そして、本実施形態においても、桟３３の刃穴３１周縁部（桟３３の端部３３Ｓ）を全周に亘って肌３７側に屈曲させることで、当該桟３３に起毛部３５を設けている。
【００７１】
以下、起毛部３５の製造方法を、図１６に基づき説明する。
【００７２】
まず、図１６（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図１６（ｂ）に示すように、肌３７側（図１６中上側）が長辺となる断面逆台形状をしている。
【００７３】
この段階で、桟３３の両端部（桟３３の刃穴３１周縁部）３３Ｓは先細りとなっているが、本実施形態では、先細りとなった両端部（桟３３の刃穴３１周縁部）３３Ｓにそれぞれ内刃１３側から荷重Ｆ１を作用させて回転力Ｍ１が生じるようにし、図１６（ｃ）に示すように、桟３３を、両端部（桟３３の刃穴３１周縁部）３３Ｓが肌３７側に位置するとともに、先細りとなる断面形状に形成している。
【００７４】
以上の本実施形態によっても、上記第１実施形態と同様の作用、効果を奏することができる。
【００７５】
また、本実施形態によれば、断面逆台形状の桟３３を加工することで起毛部３５を設けているため、エッジ３３Ｅのみの加工で、桟３３を、両端部（桟３３の刃穴３１周縁部）３３Ｓが肌３７側に位置するとともに、先細りとなる断面形状に形成することができる。したがって、本実施形態によれば、曲げ量が小さくて済むため、加工が容易で安価な製品を提供することができる。
【００７６】
また、本実施形態によっても、エッジ３３Ｅを中央部３３Ｃよりも肌３７側に突出させているため、エッジ３３Ｅを肌３７により食い込ませることができ、体毛３９の剃り効率をさらに高めることができる。
【００７７】
（第７実施形態）
本実施形態にかかる外刃８の桟３３の断面形状は、図１７に示すように、平行四辺形状に形成した桟３３の両端部（桟３３の刃穴３１周縁部）３３Ｓのうち、肌３７側が鋭角となる片側の端部（桟３３の刃穴３１周縁部）３３Ｓのエッジ３３Ｅを、肌３７側に位置するとともに、先細りとした形状をしている。すなわち、桟３３の片側の端部（桟３３の刃穴３１周縁部）３３Ｓには、肌面３７ａとのなす角度が小さい体毛（寝ている体毛）３９をより効率的に起こす起毛作用を有する起毛部３５としてのエッジ３３Ｅが設けられている。このエッジ３３Ｅは、中央部３３Ｃよりも肌３７側に突出している。
【００７８】
そして、本実施形態においても、桟３３の刃穴３１周縁部（桟３３の端部３３Ｓ）を全周に亘って肌３７側に屈曲させることで、当該桟３３に起毛部３５を設けている。
【００７９】
以下、起毛部３５の製造方法を、図１８に基づき説明する。
【００８０】
まず、図１８（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図１８（ｂ）に示すように、平行四辺形状をしている。
【００８１】
そして、肌３７側が鋭角となる片側の端部（桟３３の刃穴３１周縁部）３３Ｓに内刃１３側から荷重Ｆ１を作用させて回転力Ｍ１が生じるようにし、図１８（ｃ）に示すように、桟３３を、片側の端部（桟３３の刃穴３１周縁部）３３Ｓが肌３７側に位置するとともに、先細りとなる断面形状に形成している。
【００８２】
以上の本実施形態によっても、上記第１実施形態と同様の作用、効果を奏することができる。
【００８３】
また、本実施形態によれば、断面平行四辺形状の桟３３を加工することで起毛部３５を設けているため、片側のエッジ３３Ｅのみの加工で桟３３を、片側の端部（桟３３の刃穴３１周縁部）３３Ｓが肌３７側に位置するとともに、先細りとなる断面形状に形成することができる。したがって、本実施形態によれば、曲げ量が小さくて済むため、加工が容易で安価な製品を提供することができる。
【００８４】
また、本実施形態によっても、エッジ３３Ｅを中央部３３Ｃよりも肌３７側に突出させているため、エッジ３３Ｅを肌３７により食い込ませることができ、体毛３９の剃り効率をさらに高めることができる。
【００８５】
（第８実施形態）
本実施形態にかかる外刃８の桟３３の断面形状は、図１９に示すように、肌３７側の辺３３Ｍが他辺３３Ｎに比べて長くなった断面略おちょこ状に形成されている。具体的には、桟３３は、肌３７側の長い辺３３Ｍの両端部（桟３３の刃穴３１周縁部）３３Ｓにエッジ３３Ｅが形成されており、このエッジ３３Ｅが中央部３３Ｃよりも肌３７側に突出している。すなわち、桟３３の両端部（桟３３の刃穴３１周縁部）３３Ｓには、肌面３７ａとのなす角度が小さい体毛（寝ている体毛）３９をより効率的に起こす起毛作用を有する起毛部３５としてのエッジ３３Ｅが設けられている。
【００８６】
そして、本実施形態においても、桟３３の刃穴３１周縁部（桟３３の端部３３Ｓ）を全周に亘って肌３７側に屈曲させることで、当該桟３３に起毛部３５を設けている。
【００８７】
以下、起毛部３５の製造方法を、図２０に基づき説明する。
【００８８】
まず、図２０（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図２０（ｂ）に示すように、肌３７側の辺３３Ｍが他辺３３Ｎに比べて長くなった断面略おちょこ状に形成されている。
【００８９】
この段階で、桟３３の両端部（桟３３の刃穴３１周縁部）３３Ｓは先細りとなっているが、本実施形態では、先細りとなった両端部（桟３３の刃穴３１周縁部）３３Ｓにそれぞれ内刃１３側から荷重Ｆ１を作用させて回転力Ｍ１が生じるようにし、図２０（ｃ）に示すように、桟３３を、両端部（桟３３の刃穴３１周縁部）３３Ｓが肌３７側に位置するとともに、先細りとなる断面形状に形成している。
【００９０】
以上の本実施形態によっても、上記第１実施形態と同様の作用、効果を奏することができる。
【００９１】
また、本実施形態によれば、桟３３を断面おちょこ状に形成することで、他辺３３Ｎの両端部にも鋭角となる刃部３３Ｐが形成されるため、起毛部３５によって起こした体毛３９を刃部３３Ｐと内刃１３とで切断させることができる（図１９（ｂ）参照）。なお、矢印ｂは、内刃１３の移動方向である。このように、本実施形態によれば、１つの桟３３で、毛起こし機能と切断機能の両機能を兼備することができる。
【００９２】
ここで、本実施形態の変形例にかかる桟を、図２１に基づき説明する。
【００９３】
本変形例にかかる外刃８の桟３３の断面形状は、図２１（ｃ）に示すように、肌３７側の辺３３Ｍが他辺３３Ｎに比べて長くなった断面略おちょこ状の側面の中央部に、さらに突起３３Ｔを設けた断面形状をしている。すなわち、桟３３の両端部（桟３３の刃穴３１周縁部）３３Ｓには、肌面３７ａとのなす角度が小さい体毛（寝ている体毛）３９をより効率的に起こす起毛作用を有する起毛部３５としてのエッジ３３Ｅが設けられている。
【００９４】
そして、本変形例においても、桟３３の刃穴３１周縁部（桟３３の端部３３Ｓ）を全周に亘って肌３７側に屈曲させることで、当該桟３３に起毛部３５を設けている。
【００９５】
以下、起毛部３５の製造方法を、図２１に基づき説明する。
【００９６】
まず、図２１（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図２１（ｂ）に示すように、略おちょこ型の側面の中央部にさらに突起３３Ｔを設けた形状をしている。
【００９７】
この段階で、桟３３の両端部（桟３３の刃穴３１周縁部）３３Ｓは先細りとなっているが、本変形例でも、先細りとなった両端部（桟３３の刃穴３１周縁部）３３Ｓにそれぞれ内刃１３側から荷重Ｆ１を作用させて回転力Ｍ１が生じるようにし、図２１（ｃ）に示すように、桟３３を、両端部（桟３３の刃穴３１周縁部）３３Ｓが肌３７側に位置するとともに、先細りとなる断面形状に形成している。
【００９８】
以上の本変形例によっても、上記第８実施形態と同様の作用、効果を奏することができる。
【００９９】
また、本変形例によれば、桟３３の側面に突起３３Ｔを設けたため、当該桟３３の強度を向上させることができる。
【０１００】
（第９実施形態）
本実施形態にかかる外刃８の桟３３の断面形状は、図２２に示すように、内刃１３側がなだらかな円弧を描く略椀状をしており、両端部（桟３３の刃穴３１周縁部）３３Ｓが肌３７側に位置するとともに、先細りとなる形状をしている。すなわち、桟３３には、肌面３７ａとのなす角度が小さい体毛（寝ている体毛）３９をより効率的に起こす起毛作用を有する起毛部３５としてのエッジ３３Ｅが設けられている。このエッジ３３Ｅは、中央部３３Ｃよりも肌３７側に突出している。
【０１０１】
そして、本実施形態においても、桟３３の刃穴３１周縁部（桟３３の端部３３Ｓ）を全周に亘って肌３７側に屈曲させることで、当該桟３３に起毛部３５を設けている。
【０１０２】
以下、起毛部３５の製造方法を、図２３に基づき説明する。
【０１０３】
まず、図２３（ａ）に示すように、多数の楕円状の刃穴３１が桟３３によって画成された外刃８を形成する。このように、外刃８に刃穴３１を形成した段階では、外刃８の刃穴３１を区画する桟３３の断面形状は、図２３（ｂ）に示すように、肌３７側がなだらかな円弧を描く略蒲鉾状をしている。
【０１０４】
そして、両端部（桟３３の刃穴３１周縁部）３３Ｓにそれぞれ内刃１３側から荷重Ｆ１を作用させて回転力Ｍ１が生じるようにし、図２３（ｃ）に示すように、桟３３を、内刃１３側がなだらかな円弧を描く略椀状で、両端部（桟３３の刃穴３１周縁部）３３Ｓが肌３７側に位置するとともに、先細りとなる断面形状に形成している。
【０１０５】
以上の本実施形態によっても、上記第１実施形態と同様の作用、効果を奏することができる。
【０１０６】
また、本実施形態によっても、エッジ３３Ｅを中央部３３Ｃよりも肌３７側に突出させているため、エッジ３３Ｅを肌３７により食い込ませることができ、体毛３９の剃り効率をさらに高めることができる。
【０１０７】
なお、本実施形態では、桟３３の内刃１３側の面に、補強用の突部３３Ｊが設けられているが、この突部３３Ｊは設けなくてもよい。
【０１０８】
（第１０実施形態）
本実施形態では、上記第２および第５〜第９実施形態（第８実施形態の変形例を含む）で形成した桟３３の曲げ量をさらに大きくして、エッジ３３に丸みを付けている。
【０１０９】
すなわち、図２４（ａ）に示すように、上記第２および第５〜第９実施形態（第８実施形態の変形例を含む）で形成したエッジ３３Ｅを、図２４（ｂ）に示すように、回転力Ｍ１を生じさせて中央部３３Ｃ側に曲げることで、エッジ３３Ｅに丸み３３Ｒを付けている。
【０１１０】
このように、本実施形態によれば、桟３３のエッジ３３Ｅに丸み３３Ｒを付けたため、肌３７への刺激を小さくすることができる。
【０１１１】
（第１１実施形態）
本実施形態では、粒子や電子ビームの照射、または化学溶剤による溶解で、桟３３のエッジ３３Ｅに丸み３３Ｒを付けるようにした（図２５参照）。以下では、それぞれの方法について説明する。
【０１１２】
まず、粒子Ｐａを用いる場合は、図２６（ａ）に示すように、多数の楕円状の刃穴３１が桟３３によって画成された外刃８を形成する。そして、桟３３の断面形状を、図２６（ｂ）に示すように、上記第３実施形態に示す形状となるように加工する。すなわち、桟３３の断面形状が、両端部（桟３３の刃穴３１周縁部）３３Ｓが先細りとなるとともに、中央部３３Ｃの肌３７側が、内刃１３側に凹となる略三日月状となるようにする。そして、エッジ３３Ｅに粒子Ｐａを照射することで、図２６（ｃ）に示すように、エッジ３３Ｅに丸み３３Ｒを付けている。
【０１１３】
次に、電子ビームＥｂを用いる場合は、図２７（ａ）に示すように、多数の楕円状の刃穴３１が桟３３によって画成された外刃８を形成する。そして、桟３３の断面形状を、図２７（ｂ）に示すように、上記第３実施形態に示す形状となるように加工する。すなわち、桟３３の断面形状が、両端部（桟３３の刃穴３１周縁部）３３Ｓが先細りとなるとともに、中央部３３Ｃの肌３７側が、内刃１３側に凹となる略三日月状となるようにする。そして、エッジ３３Ｅに電子ビームＥｂを照射することで、図２７（ｃ）に示すように、エッジ３３Ｅに丸み３３Ｒを付けている。
【０１１４】
そして、化学溶剤Ｓｖを用いる場合は、図２８（ａ）に示すように、多数の楕円状の刃穴３１が桟３３によって画成された外刃８を形成する。そして、桟３３の断面形状を、図２８（ｂ）に示すように、上記第３実施形態に示す形状となるように加工する。すなわち、桟３３の断面形状が、両端部（桟３３の刃穴３１周縁部）３３Ｓが先細りとなるとともに、中央部３３Ｃの肌３７側が、内刃１３側に凹となる略三日月状となるようにする。そして、少なくともエッジ３３Ｅ部分を腐食反応の強い化学溶剤Ｓｖ、たとえば、塩化第二鉄などのエッチング液中に浸漬することで、図２８（ｃ）に示すように、エッジ３３Ｅに丸み３３Ｒを付けるようにしている。
【０１１５】
このように、本実施形態によれば、粒子や電子ビームの照射、または化学溶剤による溶解で、桟３３のエッジ３３Ｅに丸み３３Ｒを付けるようにしたため、効率良く毛起こしできるとともに肌３７への刺激を小さくできる電気かみそり１の大量生産が容易になる。
【０１１６】
なお、本実施形態では、上記第３実施形態で得られる桟３３を例示したが、他の実施形態のエッジ３３Ｅに丸み３３Ｒを付ける場合であっても本実施形態で示した方法を適用することができる。
【０１１７】
（第１２実施形態）
次に、本実施形態にかかる桟３３（図２９参照）について、図３０に示す桟３３と比較しながら説明する。なお、本実施形態にあっても、上記第３実施形態で得られる桟３３を例示して説明する。
【０１１８】
本実施形態では、図２９に示すように、起毛部３５を設けた桟３３と内刃１３の肌３７側表面５０との間に隙間Ｓが設けられている。すなわち、起毛部３５を設けた桟３３を内刃１３から離して肌３７に近づけている。
【０１１９】
これに対して、図３０に示す桟３３は、内側に配置した内刃１３と接触している。このように、桟３３と内刃１３とが接触していると、内刃１３を駆動させた際に、桟３３と内刃１３とが干渉し、摩擦により温度が上昇してしまう。
【０１２０】
しかしながら、本実施形態のように、桟３３と内刃１３との間に隙間Ｓを設けることで、桟３３と内刃１３との干渉が抑制され、摩擦による温度上昇を低減することができる。
【０１２１】
なお、本実施形態にあっても、上記第３実施形態で得られる桟３３を例示したが、他の実施形態の桟であっても本実施形態を適用することができる。
【０１２２】
（第１３実施形態）
本実施形態にかかる桟３３は、図３１に示すように、内刃１３の肌３７側表面５０に対して角度θ１となるように傾斜させている。
【０１２３】
このように、桟３３を内刃１３の肌３７側表面５０（内刃１３の肌３７側表面５０を含む面）に対して傾斜させることで、上記第１２実施形態と同様に、桟３３と内刃１３との干渉が抑制され、摩擦による温度上昇を低減することができる。さらに、本実施形態によれば、桟３３のエッジ３３Ｅ（起毛部３５）が肌面３７ａに沿い易くなるため、毛起こし効果をさらに高めることができる。
【０１２４】
なお、本実施形態にあっても、上記第３実施形態で得られる桟３３を例示したが、他の実施形態の桟であっても本実施形態を適用することができる。
【０１２５】
（第１４実施形態）
本実施形態では、起毛部３５のエッジ３３Ｅを、刃穴３１周縁部に部分的に設けている。
【０１２６】
具体的には、図３２に示すように、起毛部３５のエッジ３３Ｅは、刃穴３１の内周で内刃移動方向に対して直角となる対向部位に一対設けられており、起毛部３５が設けられた部位以外の部位には、他の機能、例えば、体毛３９の深剃り機能を有するエッジが設けられている。
【０１２７】
このように、本実施形態によれば、起毛部３５のエッジ３３Ｅを、刃穴３１の周囲に部分的に設けているため、１つの刃穴３１に、毛起こし機能に加えて、深剃り機能などの他の機能を併せ持つことができ、毛剃りのより一層の効率化を図ることができる。
【０１２８】
（第１５実施形態）
本実施形態では、外刃８の刃穴３１を、多角形状に形成している。
【０１２９】
具体的には、図３３（ａ）では、刃穴３１を六角形状に形成した場合を示しており、図３３（ｂ）では、刃穴３１をスリット状（細長い長方形状）に形成した場合を示している。そして、それら六角形状の刃穴３１および長方形状の刃穴３１の内周縁部に、それぞれ起毛部３５のエッジ３３Ｅを形成している。
【０１３０】
なお、刃穴３１は、六角形状や長方形状に限ることなく、その他の多角形状に形成することも可能である。
【０１３１】
このように、本実施形態によれば、多角形状に形成した刃穴３１の周縁部に起毛部３５を設けるようにしたため、毛起こし効果のある桟３３の加工時の位置決めが容易になる。その結果、高品質の外刃８を提供することができるようになる。
【０１３２】
以上、本発明の好適な実施形態について説明したが、本発明は上記実施形態には限定されず、種々の変形が可能である。
【０１３３】
例えば、上記各実施形態では、外刃を４枚並列したものを例示したが、外刃の数は、１〜３枚であっても、５枚以上であってもよい。
【０１３４】
また、上記各実施形態では、グリップ部に固定されたヘッド部に外刃が設けられたものを例示したが、グリップ部に外刃を設けるようにしてもよい。
【０１３５】
また、上記各実施形態では、往復式の電気かみそりを例示したが、回転式の電気かみそりにあっても本発明を適用することができる。
【０１３６】
また、外刃や内刃、その他細部のスペック（形状、大きさ、レイアウト等）も適宜に変更可能である。
【符号の説明】
【０１３７】
１  電気かみそり
８  外刃
１３  内刃
３１  刃穴
３３  桟
３３Ｅ  エッジ
３３Ｒ  丸み
３５  起毛部
３７  肌
３９  体毛
５０  肌側表面
Ｐａ  粒子
Ｅｂ  電子ビーム
Ｓｖ  化学溶剤
【図１】
2011200494.tif 000003
【図２】
2011200494.tif 000004
【図３】
2011200494.tif 000005
【図４】
2011200494.tif 000006
【図５】
2011200494.tif 000007
【図６】
2011200494.tif 000008
【図７】
2011200494.tif 000009
【図８】
2011200494.tif 000010
【図９】
2011200494.tif 000011
【図１０】
2011200494.tif 000012
【図１１】
2011200494.tif 000013
【図１２】
2011200494.tif 000014
【図１３】
2011200494.tif 000015
【図１４】
2011200494.tif 000016
【図１５】
2011200494.tif 000017
【図１６】
2011200494.tif 000018
【図１７】
2011200494.tif 000019
【図１８】
2011200494.tif 000020
【図１９】
2011200494.tif 000021
【図２０】
2011200494.tif 000022
【図２１】
2011200494.tif 000023
【図２２】
2011200494.tif 000024
【図２３】
2011200494.tif 000025
【図２４】
2011200494.tif 000026
【図２５】
2011200494.tif 000027
【図２６】
2011200494.tif 000028
【図２７】
2011200494.tif 000029
【図２８】
2011200494.tif 000030
【図２９】
2011200494.tif 000031
【図３０】
2011200494.tif 000032
【図３１】
2011200494.tif 000033
【図３２】
2011200494.tif 000034
【図３３】
2011200494.tif 000035